(57)【要約】【課題】損害保険の契約者からの申告に細やかに対応することができ、契約者が所有する施設の保全に貢献することができる損害保険金の請求支援装置および損害保険金の請求支援プログラムを提供する。【解決手段】損害保険金の請求支援装置１４は、監視者が損害保険の契約者の施設を巡回して発見した損害または契約者が発見した損害について、契約者が損害保険金請求をするための契約者用ページを、契約者が操作する第１端末装置１１へ提供する契約者用ページ提供手段と、契約者用ページにより登録された損害情報に基づいて、保険担当者が損害保険金の支払い請求の対象か否かの判定結果を入力するための管理者用ページを、保険担当者が操作する第２端末装置１２へ提供する管理者用ページ提供手段とを備えている。そして、契約者用ページ提供手段は、管理者用ページにて入力された判定結果を、契約者用ページにて閲覧可能にして第１端末装置１１へ提供する。【選択図】図１
2017045317.tif 000002
【特許請求の範囲】
【請求項１】
監視者が損害保険の契約者の施設を巡回して発見した損害または契約者が発見した損害について、前記契約者が損害保険金請求をするための契約者用画面を、前記契約者が操作する第１端末装置へ提供する第１手段と、
前記契約者用画面により登録された損害情報であって、前記第１端末装置から送信された損害情報に基づいて、損害保険会社または保険代理店の担当者が損害保険金の支払い請求の対象か否かの判定結果を入力するための管理者用画面を、前記損害保険会社または保険代理店の担当者が操作する第２端末装置へ提供する第２手段とを備え、
前記第１手段は、前記管理者用画面にて入力された判定結果を、前記契約者用画面にて閲覧可能にして前記第１端末装置へ提供する損害保険金の請求支援装置。
【請求項２】
前記第２手段は、判定結果として、未確定、有責、無責またはノークレームのいずれかを、前記損害保険会社または保険代理店の担当者に選択させる選択項目を備えた前記管理者用画面を、第２端末装置に提供する請求項１記載の損害保険金の請求支援装置。
【請求項３】
前記第１手段は、前記契約者に、損害場所、損害物を入力させる入力欄と、および損害状況を撮影した画像を貼り付けさせる入力欄とを備えた前記契約者用画面を、前記第１端末装置に提供する請求項１または２に記載の損害保険金の請求支援装置。
【請求項４】
前記契約者が前記契約者用画面により損害情報を登録すると、前記損害保険会社または保険代理店の担当者が有するメールアドレスに向けて電子メールを送信する第３手段を備えた請求項１から３のいずれかの項に記載の損害保険金の請求支援装置。
【請求項５】
前記第３手段は、前記契約者が前記契約者用画面により損害情報を登録すると、前記契約者用画面にて指定された修繕会社の担当者が有するメールアドレスに向けて電子メールを送信する機能を備えた請求項４記載の損害保険金の請求支援装置。
【請求項６】
前記第３手段は、前記損害保険会社または保険代理店の担当者が前記管理者用画面にて損害保険金の支払日を入力すると、前記契約者が有するメールアドレスに向けて電子メールを送信する請求項５記載の損害保険金の請求支援装置。
【請求項７】
コンピュータを、
監視者が損害保険の契約者の施設を巡回して発見した損害または契約者が発見した損害について、前記契約者が損害保険金請求をするための契約者用画面を、前記契約者が操作する第１端末装置へ提供する第１手段、
前記契約者用画面により登録された損害情報であって、前記第１端末装置から送信された損害情報に基づいて、損害保険会社または保険代理店の担当者が損害保険金の支払い請求の対象か否かの判定結果を入力するための管理者用画面を、前記損害保険会社または保険代理店の担当者が操作する第２端末装置へ送信する第２手段として機能させ、
更に、コンピュータを
前記第１手段が、前記管理者用画面にて入力された判定結果を、前記契約者用画面にて閲覧可能にして前記第１端末装置へ提供するように機能させる損害保険金の請求支援プログラム。
【発明の詳細な説明】
【技術分野】
【０００１】
本発明は、損害保険の契約者が所有する施設に損害が発生したときに損害保険金の請求を支援する損害保険金の請求支援装置および保険金請求支援プログラムに関するものである。
【背景技術】
【０００２】
損害保険の契約者が所有する施設に損害が発生したときには、損害保険金の請求が、契約者によって行われる。しかし、契約者は、損害保険の契約書を十分に理解して契約を締結していても、実際に施設が破損したり汚損したりして、損害が発生したときに、その損害が保険金請求の対象となるのか否か、判断がしにくい。
【０００３】
例えば、特許文献１には、保険の契約者側に、保険金支払に該当する可能性を有する不測の事態が発生した場合に、保険金の支払に関して手軽にまた容易に照会や手続できるシステムが記載されている。
【０００４】
この特許文献１に記載の「保険事案照会システム、保険事案請求システム、及び保険事案支払システム」は、保険会社のサーバコンピュータの形式データ送信手段が、事案に関する情報を入力するよう促す形式データを契約者が操作する端末装置へ送信して、報告データ受信手段が、形式データに事案に関する情報が入力されて作成された報告データを端末装置から受信すると、判定手段が、報告データに基づいて、保険金の支払要件をデータとして予め記憶した支払要件データベースに照会し、事案が保険金支払に該当するか否かを判定し、回答送信手段が、判定手段による判定結果を端末装置に送信する、というものである。
【先行技術文献】
【特許文献】
【０００５】
【特許文献１】特開２００２−１８３４３７号公報
【発明の概要】
【発明が解決しようとする課題】
【０００６】
特許文献１に記載の「保険事案照会システム、保険事案請求システム、及び保険事案支払システム」では、判定手段が、報告データに基づいて支払要件データベースに照会し、事案が保険金支払に該当するか否かを判定している。しかし、破損や汚損、紛失などの全てのパターンを、支払要件データベースとして、予めデータベース化することは困難である。また、損害の発生状況によっては、保険金請求できることもあるため、機械的に判断したのでは、損害保険の契約者からの要求に対応できないおそれがある。
【０００７】
そこで本発明は、損害保険の契約者からの申告に細やかに対応することができ、契約者が所有する施設の保全に貢献することができる損害保険金の請求支援装置および損害保険金の請求支援プログラムを提供することを目的とする。
【課題を解決するための手段】
【０００８】
本発明の損害保険金の請求支援装置は、監視者が損害保険の契約者の施設を巡回して発見した損害または契約者が発見した損害について、前記契約者が損害保険金請求をするための契約者用画面を、前記契約者が操作する第１端末装置へ提供する第１手段と、前記契約者用画面により登録された損害情報であって、前記第１端末装置から送信された損害情報に基づいて、損害保険会社または保険代理店の担当者が損害保険金の支払い請求の対象か否かの判定結果を入力するための管理者用画面を、前記損害保険会社または保険代理店の担当者が操作する第２端末装置へ提供する第２手段とを備え、前記第１手段は、前記管理者用画面にて入力された判定結果を、前記契約者用画面にて閲覧可能にして前記第１端末装置へ提供することを特徴とする。
【０００９】
また、本発明の損害保険金の請求支援プログラムは、コンピュータを、監視者が損害保険の契約者の施設を巡回して発見した損害または契約者が発見した損害について、前記契約者が損害保険金請求をするための契約者用画面を、前記契約者が操作する第１端末装置へ提供する第１手段、前記契約者用画面により登録された損害情報であって、前記第１端末装置から送信された損害情報に基づいて、損害保険会社または保険代理店の担当者が損害保険金の支払い請求の対象か否かの判定結果を入力するための管理者用画面を、前記損害保険会社または保険代理店の担当者が操作する第２端末装置へ送信する第２手段として機能させ、更に、コンピュータを前記第１手段が、前記管理者用画面にて入力された判定結果を、前記契約者用画面にて閲覧可能にして前記第１端末装置へ提供するように機能させることを特徴とする。
【００１０】
本発明によれば、まず、損害保険の契約者が第１端末装置を操作して、第１手段が提供する契約者用画面に発生した損害に関する損害情報を登録する。次に、損害保険会社または保険代理店の担当者が、第２端末装置を操作して、第２手段が提供する管理者用画面に表示された損害情報に基づいて、損害保険金の支払い請求の対象か否かの判定結果を入力する。これにより、損害保険会社または保険代理店の担当者が管理者用画面にて入力した判定結果は、第１手段が提供する契約者用画面から契約者が閲覧することができる。
【００１１】
前記第２手段は、判定結果として、未確定、有責、無責またはノークレームのいずれかを、前記損害保険会社または保険代理店の担当者に選択させる選択項目を備えた前記管理者用画面を、第２端末装置に提供することが望ましい。こうすることで、損害について、損害保険会社または保険代理店の担当者がまだ判定していないのか、損害が保険対象か否か、更には保険対象外で契約者も承認しているのか、契約者は、いずれかの状況を把握することができる。
【００１２】
前記第１手段は、前記契約者に、損害場所、損害物を入力させる入力欄と、および損害状況を撮影した画像を貼り付けさせる入力欄とを備えた前記契約者用画面を、前記第１端末装置に提供することが望ましい。第１手段がこのような入力欄を備えた契約者用画面を提供することで、契約者は、損害保険会社または保険代理店の担当者に、損害の発生状況を詳しく報告することができる。
【００１３】
前記契約者が前記契約者用画面により損害情報を登録すると、前記損害保険会社または保険代理店の担当者が有するメールアドレスに向けて電子メールを送信する第３手段を備えていることが望ましい。第３手段が新規の損害情報の登録を、損害保険会社または保険代理店の担当者に電子メールにて通知するため、損害保険会社または保険代理店の担当者は、契約者が新規の損害を登録したことを把握することができる。
【００１４】
前記第３手段は、前記契約者が前記契約者用画面により損害情報を登録すると、前記契約者用画面にて指定された修繕会社の担当者が有するメールアドレスに向けて電子メールを送信する機能を備えていることが望ましい。第３手段が新規の損害情報の登録を、修繕会社の担当者に電子メールにて通知するため、修繕会社の担当者は、契約者が新規の損害を登録したことを把握することができるので、損害修繕の費用を見積もるために、契約者の施設に向う契機とすることができる。
【００１５】
前記第３手段は、前記損害保険会社または保険代理店の担当者が前記管理者用画面にて損害保険金の支払日を入力すると、前記契約者が有するメールアドレスに向けて電子メールを送信することが望ましい。第３手段が、損害保険会社または保険代理店の担当者による損害保険金の支払い日が入力されたことを、契約者に電子メールにて通知するため、契約者は、損害保険金の支払いが完了したことを把握することができる。
【発明の効果】
【００１６】
本発明によれば、契約者は、契約者用画面にて登録された損害情報に基づいて、損害保険会社または保険代理店の担当者により管理者用画面にて入力された判定結果を、第１手段が提供する契約者用画面から閲覧することができるので、損害保険の契約者からの申告に細やかに対応することができ、契約者が所有する施設の保全に貢献することができる。
【図面の簡単な説明】
【００１７】
【図１】本発明の実施の形態に係る損害保険金の請求支援システムを示す図である。
【図２】図１に示す請求支援システムの請求支援装置の構成を説明するためのブロック図である。
【図３】図２に示す請求支援装置の契約者用ページ提供手段が提供する契約者用ページの損害報告ページの一例の図である。
【図４】図２に示す請求支援装置の契約者用ページ提供手段が提供する契約者用ページの損害入力ページの一例の図である。
【図５】図２に示す請求支援装置の修繕会社用ページ提供手段が提供する修繕会社用ページの管理ページの一例の図である。
【図６】図２に示す請求支援装置の修繕会社用ページ提供手段が提供する修繕会社用ページの編集ページの一例の図である。
【図７】図２に示す請求支援装置の管理者用ページ提供手段が提供する管理者用ページの管理ページの一例の図である。
【図８】図２に示す請求支援装置の管理者用ページ提供手段が提供する管理者用ページの編集ページの一例の図である。
【図９】図８に続く編集ページの一例の図である。
【図１０】図２に示す請求支援装置の契約者用ページ提供手段が提供する契約者用ページの損害報告ページにて、管理者用ページにおける判定結果である「有無責」が、「状況」として反映された一例の図である。
【発明を実施するための形態】
【００１８】
本発明の実施の形態に係る損害保険金の請求支援装置を含む請求支援システムについて、図面に基づいて説明する。
図１に示す損害保険金の請求支援システム１０は、損害保険の契約を締結した契約者が、損害保険金を請求する際に支援する機能を有する。
請求支援システム１０は、損害保険の契約者が操作する第１端末装置１１と、損害保険会社または保険代理店の担当者（以下、保険担当者と略す。）が操作する第２端末装置１２と、修繕会社の担当者（以下、修繕担当者と略す。）が操作する第３端末装置１３と、損害保険金の請求支援装置１４とを備えている。
【００１９】
損害保険の契約者は、旅館やホテル、企業、公共団体など、施設を有する法人、個人で、損害保険の契約が可能な者であれば、誰でもよい。本実施の形態では、例えば、ホテルを運営する法人とする。
第２端末装置１２と請求支援装置１４とは、同じ場所に設置されていても、別の場所に設置されていてもよい。本実施の形態では、保険代理店が請求支援装置１４を運営しているものとし、第２端末装置１２と請求支援装置１４とは、保険代理店に設置されているものとする。
また、図１では、損害保険の契約者が操作する第１端末装置１１は、１台だけ図示しているが、請求支援システム１０が提供するサービスに加入している契約者ごと、または契約書が所有する施設ごとに設置されている。
【００２０】
第２端末装置１２と請求支援装置１４とは、保険代理店内に配置されたルータ１５を介して、ネットワークの一例であるインターネットＷに接続されている。また、第１端末装置１１と第３端末装置１３とは、インターネットＷに接続されている。
図１では、請求支援装置１４と第２端末装置１２とはルータ１５を介してインターネットＷを介して接続されているが、請求支援装置１４と第２端末装置１２とが、別の建物に設置されていれば、請求支援装置１４と第２端末装置１２とは、それぞれがインターネットＷに接続されていてもよい。
【００２１】
第１端末装置１１〜第３端末装置１３は、請求支援装置１４へアクセスして、請求支援装置１４からのページを表示する閲覧ソフトが動作するコンピュータである。第１端末装置１１〜第３端末装置１３は、デスクトップ型、ノートブック型、パームトップ型、タブレット型などのコンピュータや、スマートフォンとすることができる。
【００２２】
図２に示すように、請求支援装置１４は、通信手段１４１と、第１手段として機能する契約者用ページ提供手段１４２と、第２手段として機能する管理者用ページ提供手段１４３と、修繕会社用ページ提供手段１４４と、第３手段として機能する電子メール制御手段１４５と、報告書作成手段１４６と、記憶手段１４７とを備えたコンピュータである。請求支援プログラムが動作することで、コンピュータを各手段として機能させている。
【００２３】
通信手段１４１は、図１に示すインターネットＷを介して、第１端末装置１１〜第３端末装置１３から各種の情報を受信したり、第１端末装置１１〜第３端末装置１３へ各種のページを送信したりするものである。
【００２４】
契約者用ページ提供手段１４２は、監視者が損害保険の契約者の施設を巡回して発見した損害または発生した損害について、契約者が損害保険金請求をするための契約者用画面である契約者用ページを、契約者が操作する第１端末装置１１へ提供する機能を備えている。契約者用ページに入力された損害情報は、記憶手段１４７に格納される。
【００２５】
管理者用ページ提供手段１４３は、契約者用ページにより登録された損害情報であって、第１端末装置１１から送信された損害情報に基づいて、保険担当者が損害保険金の支払い請求の対象か否かの判定結果を入力したり、修繕状況を管理したりするための管理者用画面である管理者用ページを、保険代理店の担当者が操作する第２端末装置１２へ提供する機能を備えている。
【００２６】
修繕会社用ページ提供手段１４４は、契約者用ページにて指定された修繕担当者が、契約者用ページにて登録された損害情報に基づいて修繕に要する費用を、見積もって入力するための修繕会社用ページを、修繕担当者が操作する第３端末装置１３へ提供する機能を備えている。修繕会社用ページに入力された情報は、修繕情報として記憶手段１４７に格納される。
【００２７】
電子メール制御手段１４５は、契約者による損害情報が登録されると、保険担当者が有するメールアドレスに向けて電子メールを送信したり、修繕担当者が有するメールアドレスに向けて電子メールを送信したりする機能を備えている。また、電子メール制御手段１４５は、保険担当者が管理者用ページにて保険金の支払日を入力すると、契約者が有するメールアドレスに向けて電子メールを送信する機能を備えている。
【００２８】
報告書作成手段１４６は、損害情報を記憶手段１４７から読み出し、ＰＤＦ（Portable Document Format）により保険金請求するための報告書を作成する機能を備えている。
【００２９】
記憶手段１４７は、損害情報や修繕情報、保険担当者が有するメールアドレス、修繕担当者が有するメールアドレス、契約者についての各種の登録情報、ログインする際に使用されるＩＤ（識別情報）やパスワードなどの設定情報が格納される。
【００３０】
以上のように構成された本発明の実施の形態に係る請求支援システムの動作および使用状態について、図面に基づいて説明する。
まず、監視者が損害保険の契約者の施設を定期的に巡回して、破損や汚損などの損害発生の有無を監視する。この監視者は、施設の従業員でもよいし、契約者が契約した損害保険の社員、損害保険の代理店の社員、この請求支援システムを運営する会社の社員、または運営会社が契約した企業の社員、修繕会社の社員でもよい。
本実施の形態では、損害保険契約者が請求支援システムを運営する保険代理店と、巡回監視の契約を締結しており、この契約により保険代理店が修繕会社に施設の定期的な巡回監視を委託しているものとする。
【００３１】
監視者が巡回により施設の損害を発見すると、その損害の発生状況を帳票に記入して契約者に報告する。または、契約者が施設を損害させたとする。契約者は、図１に示す第１端末装置１１を操作して、請求支援装置１４のインターネットＷ上の契約者向けサイトのアドレスに、第１端末装置１１で動作する閲覧ソフトによりアクセスする。
【００３２】
第１端末装置１１により請求支援装置１４にアクセスすると、第１端末装置１１からのページ要求を、図２に示す請求支援装置１４の通信手段１４１が受信して、その旨が契約者用ページ提供手段１４２に通知されると、契約者用ページ提供手段１４２は、契約者用ページを第１端末装置１１へ提供する。
【００３３】
契約者用ページでは、まず、認証ページ（図示せず）が第１端末装置１１へ提供される。契約者が認証ページを通じて認証を得ると、損害報告ページが提供される。
図３に示すように損害報告ページＰ１１が第１端末装置１１に表示されると、契約者は、新規の損害保険金請求を行うために、第１端末装置１１を操作して、「新規登録」ボタンＢ１１を押下する。
【００３４】
この「新規登録」ボタンＢ１１の押下により、契約者用ページ提供手段１４２は、図４に示すように、新規の損害を報告する入力欄を備えた損害入力ページＰ１２が表示される。
契約者は、損害の発生日または発見日を入力する「損害発生日または発見日」入力欄Ｒ１１、損害場所を入力する「損害場所」入力欄Ｒ１２、損害物を入力する「損害物」入力欄Ｒ１３、修繕会社を入力する「修繕会社」入力欄Ｒ１４、損害状況を撮影した画像を貼り付けさせる画像入力欄Ｒ１５などの各項目を入力する。
【００３５】
例えば、「損害場所」入力欄Ｒ１２には「客室」が、「損害物」入力欄Ｒ１３には「壁紙」が、「修繕会社」入力欄Ｒ１４には「△△メンテナンス」が選択されている。修繕会社には、会社名のほか、電話番号も併記されている。
それぞれの入力欄の入力が完了すると、契約者は、「確認」ボタンＢ１２を押下する。
【００３６】
「確認」ボタンＢ１２が押下されると、契約者用ページ提供手段１４２は、損害入力ページＰ１２（契約者用ページ）に入力されたそれぞれの情報を損害情報として記憶手段１４７に格納することより登録を行う。
【００３７】
そして、電子メール制御手段１４５は、契約者用ページ提供手段１４２の登録完了を受け、保険担当者が有するメールアドレスに向けて、損害情報が新規に登録されたことを示す電子メールを送信する。電子メール制御手段１４５が、新規の損害情報の登録を、保険担当者に電子メールにて通知するため、損害担当者は、この電子メールを、第２端末装置１２やスマートフォンなどの携帯電話、または他のコンピュータで受け、閲覧することで、契約者による損害情報の新規登録を認知する。これにより、保険担当者は、契約者が新規の損害を登録したことを把握することができる。
【００３８】
また、電子メール制御手段１４５は、「修繕会社」入力欄Ｒ１４にて指定された修繕会社の担当者が有するメールアドレスに向けて、損害情報が新規に登録されたことを示す電子メールを送信する。電子メール制御手段１４５が新規の損害情報の登録を、修繕担当者に電子メールにて通知するため、修繕担当者は、この電子メールを、第３端末装置１３やスマートフォンなどの携帯電話、または他のコンピュータで受け、閲覧することで、契約者による損害情報の新規登録を認知する。これにより、修繕担当者は、契約者が新規の損害を登録したことを把握することができるので、損害修繕の費用を見積もるために、契約者の施設に向う契機とすることができる。
【００３９】
修繕担当者は、図１に示す第３端末装置１３を操作して、請求支援装置１４のインターネットＷ上の修繕会社向けサイトのアドレスに、第３端末装置１３で動作する閲覧ソフトによりアクセスする。
【００４０】
第３端末装置１３により請求支援装置１４にアクセスすると、第３端末装置１３からのページ要求を、図２に示す請求支援装置１４の通信手段１４１が受信して、その旨が修繕会社用ページ提供手段１４４に通知されると、修繕会社用ページ提供手段１４４は、修繕会社用ページを第３端末装置１３へ提供する。
【００４１】
修繕会社用ページでは、まず、認証ページ（図示せず）が第３端末装置１３へ提供される。修繕担当者が認証ページを通じて認証を得ると、管理ページが提供される。
図５に示すように管理ページＰ２１が第３端末装置１３に表示される。管理ページＰ２１では、それぞれの契約者が登録した損害情報のうち、損害内容の概略と対応状況とが時系列に表示されている。
修繕担当者は、電子メールにて通知があった損害情報を検索するとか、探しだすとかして、該当の損害情報に対応する「編集」ボタンＢ２１を押下する。
【００４２】
この「編集」ボタンＢ２１の押下により、修繕会社用ページ提供手段１４４は、図６に示すように、損害情報が編集可能な状態で、編集ページＰ２２を提供する。
編集ページＰ２２では、契約者が図４に示す契約者用ページの損害入力ページＰ１２にて入力した年月日が、契約者が報告した日を示す「報告日」入力欄Ｒ２０１に表示される。
また、編集ページＰ２２では、図４に示す損害入力ページＰ１２の「損害の発生日または発見日」入力欄Ｒ１１に入力された日付が「損害日」入力欄Ｒ２０２に、「損害場所」入力欄Ｒ１２に入力された損害した場所が「損害場所」入力欄Ｒ２０３に、「損害物」入力欄Ｒ１３に入力された損害した物が「損害物」入力欄Ｒ２０４に、損害状況を撮影した画像（画像入力欄Ｒ１５）が画像入力欄Ｒ２０５に、表示されている。
【００４３】
修繕担当者は、これらの損害情報に基づいて、損害の度合いのランクを、「損害ランク」としてラジオボタンＢ２２により選択する。「損害ランク」は、５段階で評価される。損害ランクが未評価状態であるときには、「未指定」である。図６に示す例では、損害ランクは「１」に設定されている。
修繕担当者が、損害情報だけで見積を行えば、修繕に要する費用を示す損害見積金額を「損害見込金額」入力欄Ｒ２０７に入力する。また、見積を行わければ未入力とする。また、他の入力欄の修正等があれば変更する。
【００４４】
そして、修繕担当者が、契約者による損害情報の登録についての電子メールを受け、予め契約者の施設を訪問して、損害状況を確認し、損害物の写真を撮影していれば、修繕担当者は、編集ページＰ２２の画像入力欄Ｒ２０５に追加して貼り付ける。
損害見積金額を入力し終えると、修繕担当者は、「確認」ボタンＢ２３を押下する。
【００４５】
「確認」ボタンＢ２３が押下されると、図２に示す修繕会社用ページ提供手段１４４は、編集ページＰ２２（修繕会社用ページ）に入力されたそれぞれの情報を損害情報として記憶手段１４７に格納することで、損害情報の更新を行う。
【００４６】
「確認」ボタンＢ２３が押下されることで、編集ページＰ２２にて入力された損害情報が反映された状態で、編集ページＰ２２から、図５に示す管理ページＰ２１に戻る。
損害情報が反映された管理ページＰ２１では、管理ページＰ２１の「状況」欄Ｒ２０８により手続きの状況を把握することができる。
例えば、後述する保険担当者が操作する管理者用ページの編集ページＰ３２のラジオボタンＢ３６（図８参照）により明細区分が選択されたことで、保険担当者が損害情報を確認したことがわかるため、図５に示す管理ページＰ２１の「状況」欄Ｒ２０８が「未確認」から「見積待」へ変わる。
また、図６に示す編集ページＰ２２の損害見積金額が「損害見込金額」入力欄Ｒ２０７に入力されたことで、図５に示す管理ページＰ２１において、「未確認」から「見積待」へ変わった「状況」欄Ｒ２０８が「見積待」から「見積取得済」へ変わる。
また、保険担当者が明細区分を選択し、修理担当者が損害見積金額を入力すれば、図６に示す「状況」欄Ｒ２０８が、「未確認」から「見積取得済」へと変わる。
更に、管理ページＰ２１の「見積」欄Ｒ２０９が「未」から「済」に変わる。
【００４７】
修繕担当者は、損害修繕に要する費用を見積もり、見積書を作成して、電子メールやファクシミリなどで、保険担当者へ送付する。
【００４８】
保険担当者は、修繕担当者からの電子メールまたはファクシミリにより見積書の送付により、修繕担当者による見積もり完了の通知を受ける。
そうすると、保険担当者は、図１に示す第２端末装置１２を操作して、請求支援装置１４のインターネットＷ上の管理者向けサイトのアドレスに、第２端末装置１２で動作する閲覧ソフトによりアクセスする。
【００４９】
第２端末装置１２により請求支援装置１４にアクセスすると、第２端末装置１２からのページ要求を、図２に示す請求支援装置１４の通信手段１４１が受信して、その旨が管理者用ページ提供手段１４３に通知されると、管理者用ページ提供手段１４３は、管理者用ページを第２端末装置１２へ提供する。
【００５０】
管理者用ページでは、まず、認証ページ（図示せず）が第２端末装置１２へ提供される。保険担当者が認証ページを通じて認証を得ると、管理ページが提供される。
図７に示すように管理ページＰ３１が第２端末装置１２に表示されると、保険担当者は、損害保険金請求の判定を行うために、第２端末装置１２を操作して、管理ページＰ３１に表示された契約者選択欄Ｒ３１に、契約者名を直接入力したり、プルダウンメニューにより表示された候補から契約者名選択したりして、契約者を入力する。そして、保険担当者は、検索開始を指示する「次へ」ボタンＢ３１を押下することで、管理者用ページ提供手段１４３は記憶手段１４７から該当の契約者を抽出する。
【００５１】
契約者の絞り込みよって該当の契約者の損害情報が発見できると、該当の損害情報に対応する「編集」ボタンＢ３２を押下する。また、契約者を検索するまでもなく、管理ページＰ３１をスクロールダウンまたはアップなどして、該当の契約者の損害情報が発見できたときでも同様に、該当の損害情報に対応する「編集」ボタンＢ３２を押下する。
【００５２】
この「編集」ボタンＢ３２の押下により、管理者用ページ提供手段１４３は、図８および図９に示すように、損害情報が編集可能な状態で、編集ページＰ３２を提供する。
編集ページＰ３２では、図６に示す修繕会社用ページの編集ページＰ２２と同様に、契約者が図４に示す契約者用ページの損害入力ページＰ１２にて入力した年月日が、「報告日」入力欄Ｒ３２に表示される。
【００５３】
また、編集ページＰ２２では、損害入力ページＰ１２の「損害の発生日または発見日」入力欄Ｒ１１に入力された日付が「損害日」入力欄Ｒ２０２に、「損害場所」入力欄Ｒ１２に入力された損害した場所が「損害場所」入力欄Ｒ２０３に、「損害物」入力欄Ｒ１３に入力された損害した物が「損害物」入力欄Ｒ２０４に、損害状況を撮影した画像（画像入力欄Ｒ１５）が画像入力欄Ｒ２０５に、表示されている。
また、編集ページＰ３２では、図４に示す契約者用ページの損害入力ページＰ１２の「損害の発生日または発見日」入力欄Ｒ１１に入力された日付が「損害日」入力欄Ｒ３３に、「損害場所」入力欄Ｒ１２に入力された損害した場所が「損害場所」入力欄Ｒ３４に、「損害物」入力欄Ｒ１３に入力された損害した物が「損害物」入力欄Ｒ３５に、「修繕会社」入力欄Ｒ１４に入力された修繕会社が「修繕会社」入力欄Ｒ３６に、損害状況を撮影した画像（画像入力欄Ｒ１５）が画像入力欄Ｒ３７に、表示されている。
【００５４】
更に、修繕会社用ページの編集ページＰ２２の「損害見込金額」入力欄Ｒ２０７に入力された損害見込金額が、「損害見込金額」入力欄Ｒ３８に表示されている。なお、修繕担当者が「損害見込金額」を入力しておらず、見積書を電子メールかファクシミリにて保険担当者へ送付しているときには、保険担当者が、見積書に基づいて損害見込金額を「損害見込金額」入力欄Ｒ３８に入力する。
【００５５】
保険担当者は、第２端末装置１２を操作して、各担当として、「受付担当、営業担当、損害管理担当」、明細区分として、「建物、電気・機械、什器・設備・備品、造作、商品、屋外設備、住居物件、家財」、原因として「スタッフ、第三者、風災、落雷、水災、台風、地震、飛来物、排水管トラブル、その他」のいずれかを選択する。
明細区分をラジオボタンＢ３６により選択することで、前述した修繕会社用ページの管理ページＰ２１における「状況」欄Ｒ２０８に手続きの状況が反映される。
【００５６】
ここで、保険担当者は、損害情報に基づいて、損害保険金の支払い請求の対象か否かを判定する。その判定結果は、図９に示す「有無責」に入力される。「有無責」に対応付けられたラジオボタンＢ３４は、「未確定」と、「有責」と、「無責」と、「ＮＣ」（ノークレーム）とを選択するものである。
【００５７】
「未確定」は、初期状態で保険担当者が未だ判断していない状態である。「有責」は、損害が保険対象であり、保険金請求が可能であることを示す。「無責」は、損害が保険対象外であり、保険金請求が不可であることを示す。「ＮＣ」は、損害が保険対象外であり、保険金請求ができず、このことを、契約者が了承している状態、または契約者から保険金の請求を取り下げる旨の連絡を受けた状態を示す。図９に示す例では、保険対象であることを示す「有責」が選択されている。
【００５８】
保険担当者は、それぞれの入力欄に入力すると共に、保険金請求するか否かの判定を行うと、図９に示す「確認」ボタンＢ３５を押下する。
この「確認」ボタンＢ３５の押下により、管理者用ページ提供手段１４３は、編集ページＰ３２（管理者用ページ）に入力されたそれぞれの情報を損害情報として記憶手段１４７に格納することで、損害情報の更新を行う。
【００５９】
契約者は、保険担当者によって入力された判定結果を、契約者用ページにより参照することができる。
まず、契約者が第１端末装置１１を操作して、請求支援装置１４のインターネットＷ上の契約者向けサイトのアドレスにアクセスして、契約者用ページを閲覧する。
保険管理者が図９に示す管理者用ページの編集ページＰ３２に表示されたラジオボタンＢ３４により入力した判定結果が、契約者用ページにおける図１０に示す損害報告ページＰ４１の「有無責」表示欄Ｒ４１に反映され、表示される。
【００６０】
これにより、契約者は、損害について、保険担当者がまだ判定していないのか、損害が保険対象か否か、更には保険対象外で契約者も承認して処理が完了しているのか、いずれかの状況を把握することができる。
【００６１】
また、修繕担当者が、修繕会社用ページの編集ページＰ２２にて「損害見込金額」入力欄Ｒ２０７に入力したり、保険担当者が、見積書に基づいて損害見込金額を「損害見込金額」入力欄Ｒ３８に入力したりしたことが、「状況」表示欄Ｒ４５により反映され、表示される。
これにより、契約者は、損害を修繕するために要する費用の見積が取れていることを認識することができる。
【００６２】
保険担当者が、図８および図９に示す管理者用ページの編集ページＰ３２に表示された損害情報に基づいて、保険金請求できると判定した場合、保険金請求を行う。保険金請求は、まず、保険担当者は、図９に示す編集ページＰ３２の「確認」ボタンＢ３５の押下後に戻った図７に示す管理ページＰ３１に「ＰＤＦ」として示されたリンクＬ３１を押下する。
リンクＬ３１の押下により、報告書作成手段１４６は、損害情報を記憶手段１４７から読み出し、ＰＤＦにより保険金請求するための報告書を作成する。
【００６３】
保険担当者は、報告書作成手段１４６により作成された報告書に、修繕担当者からの見積書を添えて、保険金請求を行う。
保険金請求が損害保険会社に認められ、損害保険金の支払いの案内が届くと、保険担当者は、図９に示す管理者用ページの編集ページＰ３２に表示された「支払日」欄Ｒ３９に支払日を入力する。そうすることで、電子メール制御手段１４５は、契約者のメールアドレス宛に、電子メールによる損害保険金の支払いの案内メールが送信される。
【００６４】
請求支援装置１４からの案内メールを受けた契約者は、第１端末装置１１を操作して請求支援装置１４にアクセスして、図１０に示す契約者用ページの損害報告ページＰ４１を表示させる。損害報告ページＰ４１では、管理者用ページの編集ページＰ３２に入力された支払日が「支払日」表示欄Ｒ４２に反映される。これにより契約者は、損害保険金の支払日を認識することができる。
【００６５】
施設の損害は、損害保険金の支払いの有無に関わらず、利用者の不便が生じたり、不慮の事故の原因になったりするため、すぐにでも修繕することが望ましい。従って、契約者は、損害保険金の支払いに関係なく、損害の修繕を修繕会社に依頼したとする。修繕を依頼された修繕会社の担当者は、契約者と調整して、修繕開始の予定日などを決める。
【００６６】
修繕担当者は、第３端末装置１３を操作して請求支援装置１４にアクセスして、図６に示す修繕会社用ページの編集ページＰ２２を第３端末装置１３に表示させる。
修繕担当者は、契約者と調整した修繕開始日を、「施工予定日」入力欄Ｒ２１０に入力する。
修繕担当者により、図６に示す編集ページＰ２２の「施工予定日」入力欄Ｒ２１０に修繕開始日が入力されると、契約者は、図１０に示す損害報告ページＰ４１の「施工予定日」表示欄Ｒ４３に反映される。これにより、契約者は、修繕担当者と調整した修繕が開始される日を再確認することができる。
【００６７】
修繕が完了したときには、修繕担当者により「施工完了日」入力欄Ｒ２１１に修繕完了日が入力される。
修繕担当者により、図６に示す編集ページＰ２２の「施工完了日」入力欄Ｒ２１１に修繕完了日が入力されると、契約者は、図１０に示す損害報告ページＰ４１の「施工完了日」表示欄Ｒ４４に反映される。これにより、契約者は、修繕が完了した日を再確認することができる。
【００６８】
以上のように本実施の形態に係る請求支援装置１４によれば、契約者は、契約者用ページの損害入力ページＰ１２（図４参照）にて登録された損害情報に基づいて、保険担当者により管理者用ページの編集ページＰ３２（図９参照）にて入力された判定結果を、契約者用ページ提供手段１４２（図２参照）が提供する契約者用ページの損害報告ページＰ４１（図１０参照）から閲覧することができる。従って、請求支援装置１４は、損害保険の契約者からの申告に細やかに対応することができ、契約者が所有する施設の保全に貢献することができる。
【００６９】
また、契約者用ページ提供手段１４２が、図４に示すように、「損害発生日または発見日」入力欄Ｒ１１と、「損害場所」入力欄Ｒ１２、「損害物」入力欄Ｒ１３、画像入力欄Ｒ１５とを備えた契約者用ページの損害入力ページＰ１２を第１端末装置１１に提供している。そのため、契約者は、保険担当者に、損害の発生状況を詳しく報告することができる。
【産業上の利用可能性】
【００７０】
本発明は、旅館やホテル、企業、公共団体など、施設を有する法人または個人で、損害保険の契約した契約者向けとして、好適である。
【符号の説明】
【００７１】
１０  請求支援システム
１１  第１端末装置
１２  第２端末装置
１３  第３端末装置
１４  請求支援装置
１４１  通信手段
１４２  契約者用ページ提供手段
１４３  管理者用ページ提供手段
１４４  修繕会社用ページ提供手段
１４５  電子メール制御手段
１４６  報告書作成手段
１４７  記憶手段
１５  ルータ
Ｗ  インターネット
Ｐ１１  損害報告ページ
Ｐ１２  損害入力ページ
Ｂ１１  「新規登録」ボタン
Ｂ１２  「確認」ボタン
Ｒ１１  「損害発生日または発見日」入力欄
Ｒ１２  「損害場所」入力欄
Ｒ１３  「損害物」入力欄
Ｒ１４  「修繕会社」入力欄
Ｒ１５  画像入力欄
Ｐ２１  管理ページ
Ｐ２２  編集ページ
Ｂ２１  「編集」ボタン
Ｂ２２  ラジオボタン
Ｂ２３  「確認」ボタン
Ｒ２０１  「報告日」入力欄
Ｒ２０２  「損害日」入力欄
Ｒ２０３  「損害場所」入力欄
Ｒ２０４  「損害物」入力欄
Ｒ２０５  画像入力欄
Ｒ２０７  「損害見込金額」入力欄
Ｒ２０８  「状況」欄
Ｒ２０９  「見積」欄
Ｒ２１０  「施工予定日」入力欄
Ｒ２１１  「施工完了日」入力欄
Ｐ３１  管理ページ
Ｐ３２  編集ページ
Ｂ３１  「次へ」ボタン
Ｂ３２  「編集」ボタン
Ｂ３３，Ｂ３４  ラジオボタン
Ｂ３５  「確認」ボタン
Ｂ３６  ラジオボタン
Ｒ３１  契約者選択欄
Ｒ３２  「報告日」入力欄
Ｒ３３  「損害日」入力欄
Ｒ３４  「損害場所」入力欄
Ｒ３５  「損害物」入力欄
Ｒ３６  「修繕会社」入力欄
Ｒ３７  画像入力欄
Ｒ３８  「損害見込金額」入力欄
Ｒ３９  「支払日」欄
Ｌ３１  リンク
Ｐ４１  損害報告ページ
Ｒ４１  「有無責」表示欄
Ｒ４２  「支払日」表示欄
Ｒ４３  「施工予定日」表示欄
Ｒ４４  「施工完了日」表示欄
Ｒ４５  「状況」表示欄
【図１】
2017045317.tif 000003
【図２】
2017045317.tif 000004
【図３】
2017045317.tif 000005
【図４】
2017045317.tif 000006
【図５】
2017045317.tif 000007
【図６】
2017045317.tif 000008
【図７】
2017045317.tif 000009
【図８】
2017045317.tif 000010
【図９】
2017045317.tif 000011
【図１０】
2017045317.tif 000012